(57)【要約】【課題】簡易な構成で、配線基板上の導電路に対してケーブルの信号伝送導体を容易かつ正確に接続することを可能とする。【解決手段】ケーブルＣの一部を収容して位置合わせした状態に保持する位置決め部材１１に導電性の端子部材１３を設け、その端子部材１３の高さを、位置決め収容部から延出するケーブルＣの信号伝送導体Ｃ１と配線基板Ｐの導電路Ｐ１との間に設定することで、ケーブルＣの信号伝送導体Ｃ１と配線基板Ｐの導電路Ｐ１との間の距離を減少させて、配線基板Ｐの導電路Ｐ１からのケーブルＣの信号伝送導体Ｃ１の浮き上りを低減させることで、ケーブルＣの信号伝送導体Ｃ１の半田接合作業を安定的かつ効率的に行われる構成としたものである。【選択図】図６
2018147609.tif 000002
【特許請求の範囲】
【請求項１】
信号伝送導体を備えた複数のケーブルを、配線基板の導電路に位置合わせした状態に配列させる位置決め部材を備えたケーブル整列器具において、
前記位置決め部材が、
前記ケーブルの一部を収容することによって前記ケーブルを位置合わせした状態に保持する位置決め収容部と、
前記配線基板の導電路に接続されるとともに、前記位置決め収容部から延出する前記ケーブルの信号伝送導体が接続される導電性の端子部材と、
を備えたものであって、
前記端子部材は、前記ケーブルに向けて前記配線基板の導電路から離れる方向の高さが、前記位置決め収容部から延出する前記ケーブルの信号伝送導体と、前記配線基板の導電路との間に設定されていることを特徴とするケーブル整列器具。
【請求項２】
前記端子部材は、前記位置決め収容部から延出する前記ケーブルの信号伝送導体を、前記配線基板の表面に沿って支持する高さを有していることを特徴とする請求項１記載のケーブル整列器具。
【請求項３】
前記ケーブルが、前記信号伝送導体を構成する中心導体と、当該中心導体を同軸状に取り囲む外部導体とを備えた同軸ケーブルからなるものであって、
前記位置決め収容部が、所定の間隔で複数体にわたって設けられ、それらの各位置決め収容部に、前記各同軸ケーブルの一部がそれぞれ収容されることによって、前記各同軸ケーブルが前記配線基板の導電路に位置合わせした状態に配列されるとともに、
前記各同軸ケーブルの外部導体が、当該同軸ケーブルの配列方向に沿って細長状に延在するグランドバーにより電気的に接続されていることを特徴とする請求項１記載のケーブル整列器具。
【請求項４】
前記グランドバーは、前記配線基板に設けられたグランド導電路に電気的に接続されることを特徴とする請求項３記載のケーブル整列器具。
【請求項５】
前記位置決め部材は、前記配線基板に接続される固定金具を有し、
前記固定金具が、前記グランドバーに電気的に接続されることを特徴とする請求項３記載のケーブル整列器具。
【請求項６】
前記位置決め部材には、前記ケーブルの信号伝送導体と前記端子部材との接続部分を覆う導電性シェルが装着されていることを特徴とする請求項１記載のケーブル整列器具。
【発明の詳細な説明】
【技術分野】
【０００１】
本発明は、信号伝送導体を有する複数のケーブルを、配線基板に位置合わせした状態に配列させて配線基板と電気的に接続させるケーブル整列器具に関する。
【背景技術】
【０００２】
各種の電気機器において、配線基板上に設けられた導電路にケーブルを直接的に接続することが行われている。例えば、ＵＳＢコネクタに用いられるパドルカード（中継基板）等の配線基板に対しては、複数の同軸ケーブルにおける各信号伝送導体（中心導体）が半田付けにより接続される。このようにケーブルの信号伝送導体を配線基板側に接続するにあたって、下記の特許文献１に記載されているような位置決め部材を用いて、複数のケーブルの各々を配線基板の導電路に位置合わせさせた状態に整列させておけば、接続の作業を効率的に行うことが可能となる。
【０００３】
そのときの位置決め部材は、配線基板上に形成された導電路と対向した位置に載置されて使用され、当該位置決め部材に支持された複数のケーブルの各々が、位置決め部材に設けられた仕切り板により位置規制されることで、整列された状態に維持されるようになっている。
【０００４】
しかしながら、このような従来の位置決め部材を用いてケーブルを保持させると、上述したように配線基板上の導電路に対して配列方向の位置合わせは可能となるが、位置決め部材の厚み分だけ、ケーブルが配線基板の表面から浮き上がった状態に保持されることとなる。その結果、位置決め部材から配線基板の導電路に向かって延出するケーブルの信号伝送導体（中心導体）が、高さ方向、すなわち配線基板の表面から離れる方向に離間して隙間が生じ、ケーブルの信号伝送導体（中心導体）を導電路に接続する作業が難しくなる。そのため、接続の作業性が低下するとともに、接続不良を生じ易いおそれがある。
【先行技術文献】
【特許文献】
【０００５】
【特許文献１】特開２００１−６０４６９号公報
【発明の開示】
【発明が解決しようとする課題】
【０００６】
そこで本発明は、簡易な構成で、配線基板上の導電路に対してケーブルの信号伝送導体を容易かつ正確に接続することができるようにしたケーブル整列器具を提供することを目的とする。
【課題を解決するための手段】
【０００７】
上記目的を達成するため請求項１にかかる発明においては、信号伝送導体を備えた複数のケーブルを、配線基板の導電路に位置合わせした状態に配列させる位置決め部材を備えたケーブル整列器具において、前記位置決め部材が、前記ケーブルの一部を収容することによって前記ケーブルを位置合わせした状態に保持する位置決め収容部と、前記配線基板の導電路に接続されるとともに、前記位置決め収容部から延出する前記ケーブルの信号伝送導体が接続される導電性の端子部材と、を備えたものであって、前記端子部材は、前記ケーブルに向けて前記配線基板の導電路から離れる方向となる高さが、前記位置決め収容部から延出する前記ケーブルの信号伝送導体と、前記配線基板の導電路との間に設定された構成が採用されている。
【０００８】
このような構成を備えた請求項１にかかる発明によれば、位置決め収容部に保持されているケーブルの信号伝送導体と、配線基板の導電路との間に形成される高さ方向の距離が、端子部材が配置されている分だけ減少され、配線基板の導電路に対するケーブルの信号伝送導体の浮き上りが低減されることから、ケーブルの信号伝送導体の接続作業が安定的かつ効率的に行われる。
【０００９】
また、請求項２にかかる発明においては、前記端子部材は、前記位置決め収容部から延出する前記ケーブルの信号伝送導体を、前記配線基板の表面に沿って支持する高さを有する構成が採用されている。
【００１０】
さらに、請求項３にかかる発明においては、前記ケーブルが、前記信号伝送導体を構成する中心導体と、当該中心導体を同軸状に取り囲む外部導体とを備えた同軸ケーブルからなるものであって、前記位置決め収容部が、所定の間隔で複数体にわたって設けられ、それらの各位置決め収容部に、前記各同軸ケーブルの一部がそれぞれ収容されることによって、前記各同軸ケーブルが前記配線基板の導電路に位置合わせした状態に配列されるとともに、前記各同軸ケーブルの外部導体が、当該同軸ケーブルの配列方向に沿って細長状に延在するグランドバーにより電気的に接続された構成が採用されている。
【００１１】
このような構成を備えた請求項３にかかる発明によれば、位置決め部材の位置決め収容部に収容された複数体の同軸ケーブルが、グランドバーにより一体化された状態に維持されることから、同軸ケーブルの中心導体と端子部材との一括的な接続を、容易かつ正確に行うことが可能となり、生産性の向上が図られる。
【００１２】
さらにまた、請求項４にかかる発明における前記グランドバーは、前記配線基板に設けられたグランド導電路に電気的に接続される構成になされている。
【００１３】
このような構成を備えた請求項４にかかる発明によれば、同軸ケーブルの外部導体はグランドバーを介してグランド接続が行われることから、同軸ケーブルの固定が強固に行われるとともに、グランド回路の電気抵抗が低減される。
【００１４】
また、請求項５にかかる発明においては、前記位置決め部材は、前記配線基板に接続される固定金具を有し、前記固定金具が、前記グランドバーに電気的に接続される構成になされている。
【００１５】
このような構成を備えた請求項５にかかる発明によれば、位置決め部材が、固定金具を介して配線基板に強固に接続されるとともに、グランド回路の電気抵抗が低減される。
【００１６】
さらに、請求項６にかかる発明においては、前記位置決め部材には、前記ケーブルの信号伝送導体と前記端子部材との接続部分を覆う導電性シェルが装着された構成が採用されている。
【００１７】
このような構成を備えた請求項６にかかる発明によれば、ケーブルの中心導体の露出部分が、導電性シェルによってシールド状態になされ、信号伝送特性の向上が図られる。
【発明の効果】
【００１８】
以上のように本発明は、ケーブルの一部を収容して位置合わせした状態に保持する位置決め部材に端子部材を設け、その端子部材の高さを、位置決め収容部から延出するケーブルの信号伝送導体と配線基板の導電路との間に設定することで、ケーブルの信号伝送導体と配線基板の導電路との間の距離を減少させて、配線基板の導電路からのケーブルの信号伝送導体の浮き上りを低減させることで、ケーブルの信号伝送導体の接続作業を安定的かつ効率的に行われる構成としたものであるから、配線基板上の導電路に対してケーブルの信号伝送導体を容易かつ正確に接続することができる。
【図面の簡単な説明】
【００１９】
【図１】本発明の第１の実施形態にかかるケーブル整列器具を介して同軸ケーブルを印刷配線基板に接続した状態を表した外観斜視説明図である。
【図２】図１に示したケーブル整列器具、及びそのケーブル整列器具を介して同軸ケーブルを印刷配線基板に接続した状態を表した平面説明図である。
【図３】図１及び図２に示したケーブル整列器具、及びそのケーブル整列器具を介して同軸ケーブルを印刷配線基板に接続した状態を表した正面説明図である。
【図４】図１〜図３に示したケーブル整列器具、及びそのケーブル整列器具を介して同軸ケーブルを印刷配線基板に接続した状態を表した背面説明図である。
【図５】図２中の V−V 線に沿った横断面説明図である。
【図６】図５における導体接続部分を拡大して表した横断面説明図である。
【図７】図１〜図６に示した印刷配線基板の導電路を表した外観斜視説明図である。
【図８】同軸ケーブルが接続されたケーブル整列器具から導電性シェルを取り外した状態を表した外観斜視説明図である。
【図９】同軸ケーブルが接続されたケーブル整列器具から導電性シェルを取り外した状態を表した平面説明図である。
【図１０】図１〜図９に示した同軸ケーブルの多極配列状態を表した外観斜視説明図である。
【図１１】図１〜図９に示したケーブル整列器具から導電性シェルと同軸ケーブルを取り外した状態を表した外観斜視説明図である。
【図１２】図１１に示したケーブル整列器具の単体を表した平面説明図である。
【図１３】図１１及び図１２に示したケーブル整列器具の単体を表した正面説明図である。
【図１４】図１１〜図１３に示したケーブル整列器具の単体を表した背面説明図である。
【図１５】図１〜図６に示したケーブル整列器具に用いられている導電性シェルの単体を斜め上方から見たときの外観斜視説明図である。
【図１６】図１５に示した導電性シェルの単体を斜め下方から見たときの外観斜視説明図である。
【図１７】本発明の第２の実施形態にかかるケーブル整列器具を介して同軸ケーブルを印刷配線基板に接続した状態を表した外観斜視説明図である。
【図１８】図１７に示したケーブル整列器具を介して同軸ケーブルを印刷配線基板に接続した状態を表した平面説明図である。
【図１９】図１７及び図１８に示したケーブル整列器具から同軸ケーブルを取り外した状態で表した外観斜視説明図である。
【図２０】図１７及び図１８に示した印刷配線基板の導電路を表した外観斜視説明図である。
【図２１】本発明の第３の実施形態にかかるケーブル整列器具を介して同軸ケーブルを印刷配線基板に接続した状態を表した外観斜視説明図である。
【図２２】図２１に示したケーブル整列器具を介して同軸ケーブルを印刷配線基板に接続した状態の平面説明図である。
【図２３】図２２中の XXIII−XXIII 線に沿った部位における導体接続部分を拡大して表した図６相当の横断面説明図である。
【図２４】図２１〜図２３に示したケーブル整列器具の単体を斜め上方から表した外観斜視説明図である。
【図２５】図２４に示したケーブル整列器具の単体を斜め下方から表した外観斜視説明図である。
【発明を実施するための形態】
【００２０】
以下、本発明の実施形態にかかるケーブル整列器具を図面に基づいて詳細に説明する。
【００２１】
［ケーブル整列器具の全体構造の概要］
図１〜図６に表された本発明の一実施形態にかかるケーブル整列器具１０は、例えば、ＵＳＢコネクタに用いられるパドルカード（中継基板）等からなる印刷配線基板Ｐに、細線状をなす複数本の同軸ケーブルＣを整列させて接続することに用いるものである。上記印刷配線基板Ｐの主面上には、例えば図７のように、電子回路の端子部を構成する複数の信号導電路Ｐ１が多極状をなすように配列されており、それら複数の信号導電路Ｐ１の各々に対して、複数本の同軸ケーブルＣのそれぞれが、ケーブル整列器具１０を介して電気的に接続される構成になされている。
【００２２】
なお、以下においては、印刷配線基板Ｐ上に設けられた複数の信号導電路Ｐ１の配列方向を「多極配列方向」と呼ぶこととする。また、それらの各信号導電路Ｐ１に対しては、同軸ケーブルＣが「上方」側から接続される配置関係になされているものとし、印刷配線基板Ｐの主面から同軸ケーブルＣに向けて離れる方向を「高さ方向」とする。
【００２３】
［同軸ケーブルについて］
上述した複数本の同軸ケーブルＣの各々は、特に図８〜図１０に示されているように、信号伝送導体としての中心導体Ｃ１を有しているとともに、その中心導体Ｃ１を取り囲む外部導体Ｃ２が誘電体Ｃ３を介して同軸状に配置されている。そして、このような同軸ケーブルＣの端末部分における皮剥きによって、上述した外部導体Ｃ２が露出した状態になされているとともに、その外部導体Ｃ２から誘電体Ｃ３が露出し、さらにその誘電体Ｃ３から中心導体（信号伝送導体）Ｃ１が露出した状態になされている。
【００２４】
以下において、上述した中心導体（信号伝送導体）Ｃ１が露出した状態で延びている方向を「前方」とし、その反対方向を「後方」とする。
【００２５】
このような構成を備えた同軸ケーブルＣは、上述したように、多極状に配列された状態で印刷配線基板Ｐに接続が行われるが、それらの各同軸ケーブルＣにおける外部導体Ｃ２同士は、図１０に示すように「多極配列方向」に、細長状に延在する導電性の板材で構成されたグランドバーＧＢによってコモン接続されている。そのグランドバーＧＢは、上記各同軸ケーブルＣの外部導体Ｃ２を径方向の両側から挟むようにして一対配置されており、それらの径方向に対向配置された一対のグランドバーＧＢ，ＧＢ同士の間部分には半田材が充填されている。この一対のグランドバーＧＢ，ＧＢにより挟持された外部導体Ｃ２からは、上述したように誘電体Ｃ３を介して中心導体（信号伝送導体）Ｃ１が露出した状態で所定長にわたって延びている。
【００２６】
［ケーブル整列器具の詳細構造］
このようにグランドバーＧＢにより一体化された複数本の同軸ケーブルＣは、ケーブル整列器具１０を介して印刷配線基板（パドルカード）Ｐに電気的に接続される。そのケーブル整列器具１０は、同軸ケーブルＣの中心導体（信号伝送導体）Ｃ１を、印刷配線基板Ｐの信号導電路Ｐ１に位置合わせした状態に配列させる位置決め部材１１を備えている。
【００２７】
前記位置決め部材１１は、樹脂等の絶縁性の材料から形成されており、図１１〜図１４に示されているように、「多極配列方向」に沿って延在する細長箱状体をなすように形成されている。この位置決め部材１１の長手方向（「多極配列方向」）の両端部分には、一対の固定金具（ホールドダウン）１２，１２が圧入によって装着されている。それらの各固定金具１２は、長手方向の外方に向かって延出する基板接続部１２ａを有しており、その基板接続部１２ａが、印刷配線基板（パドルカード）Ｐに設けられたグランド導電路Ｐ２に対して半田付けされ、固定状態になされている。
【００２８】
上述した位置決め部材１１には、同軸ケーブルＣの一部を収容する位置決め収容部１１ａが設けられている。この位置決め収容部１１ａは、同軸ケーブルＣを位置合わせした状態に保持するものであって、位置決め部材１１の長手方向である「多極配列方向」に沿って一定の間隔で並列された空間部分から構成されている。より具体的には、上述したように「多極配列方向」に隣り合う一対の位置決め収容部１１ａ，１１ａ同士の間部分には、立壁状をなす仕切り板１１ｂが配置されており、それら一対の仕切り板１１ｂ，１１ｂの間に、「上方」に向かって開口する空間部分からなる位置決め収容部１１ａが形成されている。
【００２９】
上述した位置決め収容部１１ａの内部には、同軸ケーブルＣの一部、例えば同軸ケーブルＣの中心導体Ｃ１を被覆し、露出状態になされた誘電体Ｃ３が、上方側から下方側に向かって押し込むようにして装着されている。そして、その位置決め収容部１１ａの内部に装着された誘電体Ｃ３からは、上述したように同軸ケーブルＣの中心導体（信号伝送導体）Ｃ１が、「前方」に向かって露出状態で延びており、当該中心導体Ｃ１の「前方」側の先端部分が、後述する導電性の材料で構成された端子部材（コンタクト部材）１３に対して接続されるようになっている。
【００３０】
［端子部材（コンタクト部材）について］
すなわち、上述した位置決め部材１１には、「多極配列方向」に沿って複数体の端子部材（コンタクト部材）１３が、位置決め部材１１の本体部に、例えば、インサート成形等によって一体的に装着されている。それらの各端子部材１３は、特に図６，図１２に示されているように、導電性の帯板状部材の折り曲げ体から形成されており、前述した位置決め収容部１１ａの各々に対して「前方」側から対向した状態で、「多極配列方向」に互いに所定の間隔をなして配置されている。
【００３１】
より具体的には、各端子部材（コンタクト部材）１３は、上述した同軸ケーブルＣの中心導体（信号伝送導体）Ｃ１の先端部分に沿って延在する導体接続部１３ａを備えており、当該導体接続部１３ａに対して同軸ケーブルＣの中心導体Ｃ１が、図８等に示されているように、「上方」から載置された状態で半田付けにより接続される構成になされている。このときの同軸ケーブルＣは、前述したように位置決め収容部１１ａにより保持された状態にあることから、導体接続部１３ａに対する同軸ケーブルＣの中心導体Ｃ１の半田付け作業は、「多極配列方向」において一括的に行うことが可能となっている。
【００３２】
また、上述した各端子部材（コンタクト部材）１３の導体接続部１３ａからは、同軸ケーブルＣの延在方向に沿って基板接続部１３ｂが「前方」に向かって突出している。この基板接続部１３ｂは、下方段差をなして印刷配線基板（パドルカード）Ｐの表面上に延出しており、当該基板接続部１３ｂの先端部分が、印刷配線基板Ｐに設けられた信号導電路Ｐ１に半田接続されることにより固定状態になされている。この基板接続部１３ｂの半田付け作業は、基板接続部１３ｂ自体が位置決め部材１１により保持された状態にあることから、「多極配列方向」において一括的に行うことが可能となっている。
【００３３】
このように端子部材（コンタクト部材）１３は、図６等に示されているように、位置決め収容部１１ａから延出する同軸ケーブルＣの中心導体（信号伝送導体）Ｃ１と、印刷配線基板Ｐの信号導電路Ｐ１との間に配置されて使用される。そして、その端子部材１３が有する「高さ」、すなわち印刷配線基板（パドルカード）Ｐの信号導電路Ｐ１から同軸ケーブルＣに向けて離れる方向である「高さ方向」における端子部材１３の距離が、位置決め収容部１１ａから延出する同軸ケーブルＣの中心導体Ｃ１と、印刷配線基板Ｐの信号導電路Ｐ１との間の「高さ」に略等しくなるように設定されている。
【００３４】
換言すれば、上述した端子部材（コンタクト部材）１３の「高さ」は、位置決め収容部１１ａから延出する同軸ケーブルＣの中心導体（信号伝送導体）Ｃ１を、印刷配線基板（パドルカード）Ｐの主面（信号導電路Ｐ１が形成された面）に沿って支持する高さを有している。その結果、位置決め収容部１１ａから延出する同軸ケーブルＣの中心導体Ｃ１が、印刷配線基板Ｐの主面と略平行な状態で延在する配置関係になされている。
【００３５】
［導電性シェルについて］
さらに、上述した位置決め部材１１には、薄板状の金属性部材の折り曲げ体からなる導電性シェル１４が外方から覆うように装着されている。この導電性シェル１４は、特に図１５及び図１６に示されているように、位置決め部材１１の上方部分から、当該位置決め部材１１の長手方向の両端部分、及び端子部材（コンタクト部材）１３の導体接続部１３ａの上方部分を覆うように構成された蓋状部材から形成されており、主として、同軸ケーブルＣの中心導体（信号伝送導体）Ｃ１と端子部材１３との接続部分を覆うことによって、外乱をシールドし、信号伝送特性を良好に維持する機能を有している。
【００３６】
この導電性シェル１４の長手方向（多極配列方向）の両側端板には、係合凹部１４ａ，１４ａがそれぞれ形成されており、導電性シェル１４を位置決め部材１１に装着した際に、当該導電性シェル１４の係合凹部１４ａが、前述した固定金具１２に設けられた係合凸部１２ｂ（図１１参照）に対して嵌合状態となることによって位置決め部材１１に対する導電性シェル１４の固定が行われる構成になされている。
【００３７】
また、上述した導電性シェル１４の天井板部分には、舌片状をなす複数体の接続片１４ｂが形成されており、導電性シェル１４を位置決め部材１１に装着した際に、それらの各接続片１４ｂが、前述したグランドバーＧＢに対して上方から接触してグランド接続が行われるようになっている。
【００３８】
さらに、その導電性シェル１４の天井板部分が同軸ケーブルＣの上方に重なり合っている長尺状の端縁部分には、下方に向かって略Ｕ字状に折り返された押圧板１４ｃが設けられており、その押圧板１４ｃが同軸ケーブルＣに対して上方から押し付けられた状態になされている。
【００３９】
このような構成を備えた本実施形態によれば、位置決め収容部１１ａに保持されている同軸ケーブルＣの中心導体（信号伝送導体）Ｃ１と、印刷配線基板Ｐの信号導電路Ｐ１との間に形成される高さ方向の距離が、端子部材（コンタクト部材）１３が配置されている分だけ減少されることから、印刷配線基板Ｐの信号導電路Ｐ１に対するケーブルの中心導体Ｃ１の浮き上りが低減されることとなり、同軸ケーブルＣの中心導体Ｃ１の半田付けの作業が安定的かつ効率的に行われる。
【００４０】
特に、本実施形態によれば、同軸ケーブルＣが、位置決め部材１１の位置決め収容部１１ａに容易に収容されることから、同軸ケーブルＣと位置決め部材１１との連結が効率的に行われる。また、多極配列された複数体の同軸ケーブルＣが、グランドバーＧＢにより一体化された状態に維持されることから、当該同軸ケーブルＣの中心導体（信号伝送導体）Ｃ１と端子部材（コンタクト部材）１３の導体接続部１３ａとの一括的な半田接続操作が容易かつ正確に行われる。
【００４１】
さらに、本実施形態においては、位置決め部材１１の固定金具１２が、印刷配線基板Ｐのグランド導電路Ｐ２に電気的に接続される構成になされていることから、位置決め部材１１が、固定金具１２を介して印刷配線基板Ｐに強固に接続されるとともに、グランド回路の電気抵抗が低減される。
【００４２】
加えて、本実施形態においては、同軸ケーブルＣの中心導体（信号伝送導体）Ｃ１と端子部材（コンタクト部材）１３の導体接続部１３ａとの接続部分を覆う導電性シェル１４が設けられているため、同軸ケーブルＣの中心導体Ｃ１の露出部分が、導電性シェル１４によってシールド状態になされ、信号伝送特性の向上が図られる。
【００４３】
［第２の実施形態について］
一方、上述した実施形態と同一の部材に対して同一の符号を付した図１７〜図２０にかかる第２の実施形態は、上述した第１の実施形態において採用されている導電性シェル１４と固定金具１２を使用しないものである。
【００４４】
本実施形態においては、印刷配線基板（パドルカード）Ｐに設けられたグランド導電路Ｐ２´が、多極配列方向に長尺状をなすように形成されており、その長尺状をなすグランド導電路Ｐ２´に対して、グランドバーＧＢの下面のほぼ全面が接触した状態に載置されて半田接続が行われる構成になされている。このような実施形態においても、上述した実施形態と、基本的には同様な作用・効果が得られる。
【００４５】
［第３の実施形態について］
さらに、上述した第１及び第２の実施形態と同一の部材に対して同一の符号を付した図２１〜図２９にかかる第３の実施形態は、端子部材（コンタクト部材）２３の基板接続部２３ｂが、位置決め部材１１から外方（前方）へ突出することがないように構成したものである。すなわち、本実施形態における端子部材（コンタクト部材）２３の基板接続部２３ｂは、導体接続部２３ａの前端部から下方に折り曲げられて位置決め部材１１の内方側に折り返された状態で延出している。
【００４６】
このような実施形態においても、上述した各実施形態と、基本的には同様な作用・効果が得られるが、特に本実施形態では、端子部材（コンタクト部材）２３の基板接続部２３ｂの外方露出量が低減されることから、更なる小型化が可能となる。
【００４７】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００４８】
例えば、上述した実施形態では、同軸ケーブルが採用されているが、それに限定されることはなく、絶縁ケーブルや、同軸ケーブルと絶縁ケーブルとが複数混合したケーブル等を用いる場合についても本発明を同様に適用することが可能である。
【００４９】
また、上述した実施形態では、同軸ケーブルＣの中心導体Ｃ１と端子部材１３の導体接続部１３ａとの接続を半田付けで行ったが、それに限定されることなく、例えば、接着剤等で行う場合についても、本発明を同様に適用することが可能である。
【産業上の利用可能性】
【００５０】
以上のように本実施形態は、各種電気機器に使用される多種多様な電気コネクタに対して広く適用することが可能である。
【符号の説明】
【００５１】
１０  ケーブル整列器具
１１  位置決め部材
１１ａ  位置決め収容部
１１ｂ  仕切り板
１２  固定金具（ホールドダウン）
１２ａ  基板接続部
１２ｂ  係合凸部
１３  端子部材（コンタクト部材）
１３ａ  導体接続部
１３ｂ  基板接続部
１４  導電性シェル
１４ａ  係合凹部
１４ｂ  接続片
１４ｃ  押圧板
Ｐ  印刷配線基板
Ｐ１  信号導電路
Ｐ２，Ｐ２´  グランド導電路
Ｃ  同軸ケーブル
Ｃ１  中心導体（信号伝送導体）
Ｃ２  外部導体
Ｃ３  誘電体
ＧＢ  グランドバー
２３  端子部材（コンタクト部材）
２３ａ  導体接続部
２３ｂ  基板接続部
【図１】
2018147609.tif 000003
【図２】
2018147609.tif 000004
【図３】
2018147609.tif 000005
【図４】
2018147609.tif 000006
【図５】
2018147609.tif 000007
【図６】
2018147609.tif 000008
【図７】
2018147609.tif 000009
【図８】
2018147609.tif 000010
【図９】
2018147609.tif 000011
【図１０】
2018147609.tif 000012
【図１１】
2018147609.tif 000013
【図１２】
2018147609.tif 000014
【図１３】
2018147609.tif 000015
【図１４】
2018147609.tif 000016
【図１５】
2018147609.tif 000017
【図１６】
2018147609.tif 000018
【図１７】
2018147609.tif 000019
【図１８】
2018147609.tif 000020
【図１９】
2018147609.tif 000021
【図２０】
2018147609.tif 000022
【図２１】
2018147609.tif 000023
【図２２】
2018147609.tif 000024
【図２３】
2018147609.tif 000025
【図２４】
2018147609.tif 000026
【図２５】
2018147609.tif 000027